【手続補正書】
【提出日】平成16年2月25日(2004.2.25)
【手続補正１】
【補正対象書類名】明細書
【補正対象項目名】全文
【補正方法】変更
【補正の内容】
【発明の名称】コンタクトレンズ
【特許請求の範囲】
【請求項１】角膜に接する側となる凹状の内面が、円形の中央部と周辺部とからなり、該中央部と周辺部とが２つの異なる湾曲面からなっていることを特徴とするコンタクトレンズ。
【請求項２】中央部の湾曲面が球面状に形成され、周辺部の湾曲面が累進的にカーブが緩やかになるよう変化する非球面状に形成されてなることを特徴とする請求項１に記載のコンタクトレンズ。
【請求項３】中央部の湾曲面が累進的にカーブが緩やかになるよう変化する非球面状に形成され、周辺部の湾曲面も累進的にカーブが緩やかになるよう変化する非球面状に形成されてなることを特徴とする請求項１に記載のコンタクトレンズ。
【請求項４】中央部の湾曲面が、角膜移植後の角膜形状に対応する形状からなっていることを特徴とする請求項２または３に記載のコンタクトレンズ。
【発明の詳細な説明】
【０００１】
【発明が属する技術分野】
本発明は、角膜移植後や、これに類する角膜形状の屈析矯正用や光学レンズとして用いることができるコンタクトレンズに関する。
【０００２】
【従来の技術】
従来、角膜移植術を行う症例は、さまざまなケースがあるが、代表的なものに円錐角膜、角膜混濁、角膜変性、外傷等がある。
移植術は、患部角膜をトレパンで除去し、同じサイズの新鮮角膜を周辺角膜と縫合して行う。
この際に、移植した中心角膜と周辺角膜との段差が大きくなり、形状としては、中心がフラットな形状となる。
従って、このような形状の角膜にコンタクトレンズを装着すること困難であり、長時間の装着に耐えることができないという問題点があった。
【０００３】
即ち、まず、従来品としてソフトコンタクトレンズの上にハードコンタクトレンズを重ねて使用する方法がある。
しかし、この方法では２枚のレンズを組合せて使用することから取扱いが煩雑となり使用者の支出するコストも高くなる。
次に、単一球面レンズで装着する方法がある。
しかし、この方法では、角膜上でのレンズの安定が悪く、装着感も悪いので長時間装着できない。
【０００４】
また、内面多段カーブ（３段、４段）で装着する方法もある。
しかし、この方法では、レンズが角膜上で固着してしまうことと、安定が悪く長い時間装着できないという欠点があった。
このことは、角膜移植後に限らずこれと同様の形状をした角膜に使用する場合においても同様の欠点であった。
【０００５】
【発明が解決しようとする課題】
本発明は上記事情に鑑みて創案されたものであって、その主たる課題は、コンタクトレンズの内面を、角膜移植後の角膜やこれに類する角膜の形状に合せることにより、装着感がよく、長時間使用できるものとするコンタクトレンズを提供することにある。
【０００６】
【課題を解決するための手段】
上記課題を解決するため、請求項１の発明では、
角膜に接する側となる凹状の内面が、円形の中央部と周辺部とからなり、該中央部と周辺部とが２つの異なる湾曲面からなっている、という技術的手段を講じている。
【０００７】
また、請求項２の発明では、請求項１の発明において、
中央部の湾曲面が球面状に形成され、周辺部の湾曲面が累進的にカーブが緩やかになるよう変化する非球面状に形成されてなる、という技術的手段を講じている。
【０００８】
更に、請求項３の発明では、請求項１の発明において、
中央部の湾曲面が累進的にカーブが緩やかになるよう変化する非球面状に形成され、周辺部の湾曲面も累進的にカーブが緩やかになるよう変化する非球面状に形成されてなる、という技術的手段を講じている。
ここで、中央部の湾曲面は、角膜移植後の角膜形状に対応する形状からなっていることが好ましい。
【０００９】
【発明の実施の態様】
以下に、本発明のコンタクトレンズの好適実施例について図面を参照しながら説明する。
図１及び図２に示すコンタクトレンズ１は、角膜に接する側となる凹状の内面が、中心に配置されて円形の中央部２と、その周囲に環状に形成される周辺部３とからなっている。
【００１０】
そして、中央部２は角膜移植術により移植された中心角膜に接する面となり、周辺部３は周辺角膜に接する面となり、それぞれ２つの異なる湾曲面からなっている。
ここでコンタクトレンズ１の種類は特に限定されるものではなく、例えば、ハードコンタクトレンズ、酸素透過性ハードコンタクトレンズ、含水性ソフトコンタクトレンズ、非含水性ソフトコンタクトレンズ等を含むものである。
【００１１】
次に、中央部２は、図示例の場合、球面状に形成されている。
この中央部２のカーブ及び径は、移植角膜のカーブと径に近い形状とすることが望ましい。
また、周辺部３は、累進的にカーブが緩やかになるよう変化する非球面状に形成されている。
これは、中心角膜よりスティープな周辺角膜に対応させるためである。
これらのカーブの形状は、レースカット製法を用いて成形することができ、また二面の形状を持つ型を用いるキャストモールド製法で成形することができる。
【００１２】
この周辺部のカーブの設定には、この周辺カーブの累進的にフラットになっていく率（離心率）を変えることによって調整することができる。
これは、疾病によっては中央部２のカーブと周辺部３のカーブとの差が大きく異なるので、周辺カーブが累進的に広がっていく率をそれぞれの角膜形状のタイプによって調整する。
これにより、中央部２は移植後の角膜中心に対応し、周辺部３は角膜周辺部に対応するので、コンタクトレンズ１は角膜の中心及び周辺を角膜のカーブと平衡状態を保った状態で装着することが可能となる。
【００１３】
図３および図４に示すコンタクトレンズ１は、中央部２を小径とし、該中央部２の湾曲面が累進的にカーブが緩やかになるよう変化する非球面状に形成された場合の異なる実施例を示す。
その他の構成は前記実施例と同様であるのでその説明を省略する。
このコンタクトレンズ１では、内面側が中心部２と周辺部とを異なる非球面形状にすることにより、角膜の中心及び周辺で角膜のカーブと平衡状態を保つことできる。
【００１４】
上記実施例では、角膜移植後の角膜に用いるコンタクトレンズについて説明したが、この発明でコンタクトレンズの用途は特に限定されるものではなく、角膜移植後の角膜形状と類似する形状の角膜、例えばＲＫ手術後の角膜、ＰＲＫ手術後の角膜、円錐角膜等の、角膜の中心と周辺との段差が大きく中心が扁平な形状の場合にも用いることができる。
また、この発明のコンタクトレンズは、視力補正以外で、この様な構造で角膜に接する光学レンズにも適用することができる。
その他、この発明の要旨を変更しない範囲で種々設計変更しうること勿論である。
【００１５】
【発明の効果】
以上のようにこの発明では、角膜の中心と周辺との段差が大きく、中心がやや扁平な形状の角膜に合せて、コンタクトレンズの内面を中心部と周辺部とに分け、それぞれを異なるカーブで湾曲させることにより、コンタクトレンズは角膜の中心及び周辺を角膜のカーブと平衡状態を保った状態で装着されるので、装着感がよく長時間使用することができる。
【図面の簡単な説明】
【図１】第１実施例のコンタクトレンズの正面図である。
【図２】同断面図である。
【図３】第２実施例のコンタクトレンズの正面図である。
【図４】同断面図である。
【符号の説明】
１・・・コンタクトレンズ
２・・・中央部
３・・・周辺部